(57)【要約】【課題】中央頂部に、排気が十分に行われ且つ雨や虫も侵入しにくい排気ルートが常に開口確保され、常時熱源による安定した上昇気流が生じ、常時この上昇気流が乱されず効率良くスムーズに排気される画期的なシェルターやドーム型テントなどリビングスペースで炭火を使用できるテントを提供すること。【解決手段】インナーテント２の中央頂部に排気用中央開口部３を設け、フライシート４の前記排気用中央開口部３を覆う部分を山状に持ち上げ、このフライシート４に、シート面方向の下方に向かって開口保持される雨侵入防止形ベンチレータ６を設け、前記インナーテント２の下方周囲に外気を導入する下部ベンチレータ７を設けたテント。【選択図】図１
2014201958.tif 000002
【特許請求の範囲】
【請求項１】
複数本のポールに支持され張設されるインナーテントの中央頂部に排気用中央開口部を設け、この排気用中央開口部を覆うフライシートを設け、このフライシートの前記排気用中央開口部を覆う部分を山状に持ち上げ支持するフライシート中央部持ち上げポールを前記排気用中央開口部上方にアーチ状に架設し、このフライシートの前記排気用中央開口部を覆う部分が前記持ち上げポールにより山状に持ち上げられた際に、シート面方向の下方に向かって開口保持される雨侵入防止形ベンチレータをフライシートに設け、前記インナーテントの下方周囲に外気を導入する下部ベンチレータを設けたことを特徴とするテント。
【請求項２】
前記雨侵入防止形ベンチレータは、前記フライシートの前記持ち上げポールにより山状に持ち上げられる傾斜位置に、フード先端部が傾斜下方側に位置するように設けたフード部付のベンチレータ用開口部を設け、このフード部が持ち上げ保持されることでこのベンチレータ用開口部が開口保持状態となると共にシート面方向の傾斜下方側に向かって開口して雨侵入防止形の排気用開口部が形成される構成としたことを特徴とする請求項１記載のテント。
【請求項３】
前記フライシートの前記持ち上げポールにより山状に持ち上げられる傾斜位置に、周方向に連続して若しくは周方向に間隔を置いて複数箇所に前記ベンチレータ用開口部を設け、このベンチレータ用開口部にフライシートの内側材と重合するようにして前記フード部を設け、このフード部の前記フード先端部を前記フライシートの内側材に対して浮上保持してフード部を持ち上げ保持することで前記ベンチレータ用開口部が開口保持状態となる浮上保持部を設けて、前記フライシートの前記持ち上げポールにより山状に持ち上げられる傾斜位置に、シート面方向の傾斜下方側に向かって開口して雨侵入防止形の排気用開口部が形成されるように前記雨侵入防止形ベンチレータを構成したことを特徴とする請求項２記載のテント。
【請求項４】
前記排気用中央開口部及び前記雨侵入防止形ベンチレータは、常時開口した構成若しくはメッシュ材で閉塞若しくはメッシュ材を着脱自在に設けた構成として、常時中央頂部の排気ルートが開口確保されている構成としたことを特徴とする請求項１〜３のいずれか１項に記載のテント。
【請求項５】
前記下部ベンチレータは、前記インナーテントの人の腰より低い高さであって、地面若しくはボトムシートに近い前記インナーテントの下方位置に、中央を囲むように周方向に連続して若しくは周方向に間隔を置いて複数設け、前記インナーテントの中央に炭火などの熱源を配置した際、この熱により前記下部ベンチレータから外気を導入すると共に、この熱源の真上に安定した上昇気流が生じて、この熱源の真上に位置する前記排気用中央開口部及びこれと連通する前記雨侵入防止形ベンチレータから外部へ排気されるように構成したことを特徴とする請求項１〜４のいずれか１項に記載のテント。
【請求項６】
前記インナーテントを張設する前記支持ポールを挿通するポールスリーブは多数の通気孔を有する構成として、このポールスリーブに前記支持ポールを挿通して張設した前記インナーテントとこのインナーテントを覆う前記フライシートとの間にシート間隔を形成保持すると共に、このシート間隔を区画することになる前記ポールスリーブが前記多数の通気孔を有する構成若しくは通気用開口部を有する構成とすることで区画部分が通気連通状態となると共に、このシート間隔の区画部分が前記ポールスリーブの通気孔を介してフライシートの周端外方若しくはこのシート間隔と連通する前記フライシートに設けた開口部と連通するように構成したことを特徴とする請求項１〜５のいずれか１項に記載のテント。
【請求項７】
前記インナーテントに、窓部若しくはメッシュ部を開閉自在に設けると共に、前記フライシートとの前記シート間隔と連通するシート間隔連通開口部を設けたことを特徴とする請求項１〜６のいずれか１項に記載のテント。
【発明の詳細な説明】
【技術分野】
【０００１】
本発明は、シェルターやドーム型テントなどリビングスペースを有する（広義な意味での）テントに関するものである。
【背景技術】
【０００２】
日陰を作り出し風通しの良い窓部やメッシュ部などを有し、地面はそのまま露出させておいたり、ボトムシートを別に敷設するタイプのいわゆるシェルターや、単独での就寝用でなく比較的大型なドーム型テントなどリビングスペースを有するテントでは、テント内にテーブルや椅子をセットしたり、ボトムシートを敷くなどしてその中央に座した人々が囲むテーブルを設置する場合があるが、更にテーブルだけでなく、炭火を入れた炭火コンロなどの熱源を設置したい場合がある。
【０００３】
例えば、テント内中央のテーブルにバーベキュー用の炭火コンロを組み込むようにして設置したり、台上に炭火コンロを載せたり、あるいは地面に炭火コンロを設置し、その回りのボトムシート上に座してこの炭火コンロを囲めるようにしたい。
【０００４】
しかしながら、単にテント（インナーテント）中央頂部に排気用中央開口部を設けただけでは排気が十分に行われないし、大きく開口すれば、暖気も必要以上に奪われるし、また雨も降りそそぐし、虫の侵入も容易となる。
【０００５】
一方、雨天時に中央開口部を逐次閉塞するようにすると、その開閉作業もわずらわしいし、また塞いだまま周囲の窓部や他のベンチレーションだけを頼りに炭火を使用する可能性が生じてしまい、真上への安定した上昇気流が生じないおそれがあり好ましくない。
【発明の概要】
【発明が解決しようとする課題】
【０００６】
本発明は、中央頂部に、排気が十分に行われ且つ雨や虫も侵入しにくい排気ルートが常に開口確保され、常時熱源による安定した上昇気流が生じ、常時この上昇気流が乱されず効率良くスムーズに排気される画期的なシェルターやドーム型テントなどリビングスペースで炭火を使用できるテントを提供することを目的としている。
【課題を解決するための手段】
【０００７】
添付図面を参照して本発明の要旨を説明する。
【０００８】
複数本のポール１に支持され張設されるインナーテント２の中央頂部に排気用中央開口部３を設け、この排気用中央開口部３を覆うフライシート４を設け、このフライシート４の前記排気用中央開口部３を覆う部分を山状に持ち上げ支持するフライシート中央部持ち上げポール５を前記排気用中央開口部３上方にアーチ状に架設し、このフライシート４の前記排気用中央開口部３を覆う部分が前記持ち上げポール５により山状に持ち上げられた際に、シート面方向の下方に向かって開口保持される雨侵入防止形ベンチレータ６をフライシート４に設け、前記インナーテント２の下方周囲に外気を導入する下部ベンチレータ７を設けたことを特徴とするテントに係るものである。
【０００９】
また、前記雨侵入防止形ベンチレータ６は、前記フライシート４の前記持ち上げポール５により山状に持ち上げられる傾斜位置に、フード先端部10が傾斜下方側に位置するように設けたフード部９付のベンチレータ用開口部８を設け、このフード部９が持ち上げ保持されることでこのベンチレータ用開口部８が開口保持状態となると共にシート面方向の傾斜下方側に向かって開口して雨侵入防止形の排気用開口部が形成される構成としたことを特徴とする請求項１記載のテントに係るものである。
【００１０】
また、前記フライシート４の前記持ち上げポール５により山状に持ち上げられる傾斜位置に、周方向に連続して若しくは周方向に間隔を置いて複数箇所に前記ベンチレータ用開口部８を設け、このベンチレータ用開口部８にフライシート４の内側材と重合するようにして前記フード部９を設け、このフード部９の前記フード先端部10を前記フライシート４の内側材に対して浮上保持してフード部９を持ち上げ保持することで前記ベンチレータ用開口部８が開口保持状態となる浮上保持部12を設けて、前記フライシート４の前記持ち上げポール５により山状に持ち上げられる傾斜位置に、シート面方向の傾斜下方側に向かって開口して雨侵入防止形の排気用開口部が形成されるように前記雨侵入防止形ベンチレータ６を構成したことを特徴とする請求項２記載のテントに係るものである。
【００１１】
また、前記排気用中央開口部３及び前記雨侵入防止形ベンチレータ６は、常時開口した構成若しくはメッシュ材で閉塞若しくはメッシュ材を着脱自在に設けた構成として、常時中央頂部の排気ルートが開口確保されている構成としたことを特徴とする請求項１〜３のいずれか１項に記載のテントに係るものである。
【００１２】
また、前記下部ベンチレータ７は、前記インナーテント２の人の腰より低い高さであって、地面若しくはボトムシートに近い前記インナーテント２の下方位置に、中央を囲むように周方向に連続して若しくは周方向に間隔を置いて複数設け、前記インナーテント２の中央に炭火などの熱源11を配置した際、この熱により前記下部ベンチレータ７から外気を導入すると共に、この熱源11の真上に安定した上昇気流が生じて、この熱源11の真上に位置する前記排気用中央開口部３及びこれと連通する前記雨侵入防止形ベンチレータ６から外部へ排気されるように構成したことを特徴とする請求項１〜４のいずれか１項に記載のテントに係るものである。
【００１３】
また、前記インナーテント２を張設する前記支持ポール１を挿通するポールスリーブ13は多数の通気孔を有する構成として、このポールスリーブ13に前記支持ポール１を挿通して張設した前記インナーテント２とこのインナーテント２を覆う前記フライシート４との間にシート間隔14を形成保持すると共に、このシート間隔14を区画することになる前記ポールスリーブ13が前記多数の通気孔を有する構成若しくは通気用開口部21を有する構成とすることで区画部分が通気連通状態となると共に、このシート間隔14の区画部分が前記ポールスリーブ13の通気孔を介してフライシート４の周端外方若しくはこのシート間隔14と連通する前記フライシート４に設けた開口部と連通するように構成したことを特徴とする請求項１〜５のいずれか１項に記載のテントに係るものである。
【００１４】
また、前記インナーテント２に、窓部若しくはメッシュ部を開閉自在に設けると共に、前記フライシート４との前記シート間隔14と連通するシート間隔連通開口部15を設けたことを特徴とする請求項１〜６のいずれか１項に記載のテントに係るものである。
【発明の効果】
【００１５】
本発明は上述のように構成したから、中央頂部に、排気が十分に行われ且つ雨や虫も侵入しにくい排気ルートが常に開口確保され、常時熱源による安定した上昇気流が生じ、常時この上昇気流が乱されず効率良くスムーズに排気される画期的なシェルターやドーム型テントなどリビングスペースで炭火を使用できるテントとなる。
【００１６】
また、請求項２，３，４，５記載の発明においては、更に本発明を簡易な構成で容易に実現でき、極めて実用性に優れたテントとなる。
【００１７】
また、請求項６，７記載の発明においては、一層排気がスムーズとなり、極めて優れたテントとなる。
【図面の簡単な説明】
【００１８】
【図１】本実施例の使用状態の説明正断面図である。
【図２】本実施例の使用状態の説明平面図である。
【図３】本実施例の説明斜視図である。
【図４】本実施例のフライシートの一部を切り欠いた説明斜視図である。
【図５】本実施例のフライシートを取り外した状態の説明斜視図である。
【図６】本実施例のインナーテントの排気用中央開口部をインナーテント内下側から見上げた状態の説明斜視図である。
【図７】本実施例のテント頂部の雨侵入防止形ベンチレータのフード先端部方向を示す説明断面図である。
【発明を実施するための形態】
【００１９】
好適と考える本発明の実施形態を、図面に基づいて本発明の作用を示して簡単に説明する。
【００２０】
インナーテント２内中央（リビングスペース）に、例えば炭火を収納した炭火コンロ11を配置すると、いわゆる煙突効果によりインナーテント２の下方周囲に設けた下部ベンチレータ７から外気を引き込みつつ、その真上に安定した上昇気流が生じ、この上昇気流によりインナーテント２の中央頂部の大きな排気用中央開口部３を介してフライシート４の排気用中央開口部３を覆う部分若しくはその周辺部に設けた雨侵入防止形ベンチレータ６から、熱気や煙などはスムーズに排気される。
【００２１】
この雨侵入防止形ベンチレータ６は、フライシート４の排気用中央開口部３を覆う部分を持ち上げポール５により山状に持ち上げ支持し、このフライシート４のシート面方向の下方に向かって開口保持される構成の排気用開口部としたから、排気も常時スムーズに行われると共に、雨も侵入しにくい。
【００２２】
また、この雨侵入防止形ベンチレータ６は、フライシート４の内側材に対して重合した上側材をフード部９とし、このフード部９を例えば浮上保持部12で持ち上げ保持してベンチレータ用開口部８を開口保持状態とすることで、常に熱源11上部、即ちテント中央頂部の排気シートは常に開口確保される。言い換えれば、簡易な構成にして、前述のように中央頂部に、排気が十分に行われ且つ雨や虫も侵入しにくい排気ルートが常に開口確保され、常時熱源11による安定した上昇気流が生じ、常時この上昇気流が乱されず効率良くスムーズに排気されることとなる。
【００２３】
更に、中央頂部の交差するポール１に囲まれた部分に大きな排気用中央開口部３を開口し、この排気用中央開口部３をフライシート４で覆う構成であって、更にこのフライシート４に前記雨侵入防止形ベンチレータ６を周方向に連続して若しくは周方向に間隔を置いて複数設ける構成とすれば、常に一層安定した上昇気流が生じ、この上昇気流は乱されずスムーズに十分な排気が行われる。
【００２４】
また、前述のように雨侵入防止形ベンチレータ６を傾斜下方側に向って開口保持するように構成することで、常時開口保持した状態で雨も侵入しない排気用開口部を容易に形成することができ、他の窓部や開口部（メッシュ部）などに頼って雨天時に中央頂部の中央開口部を閉塞したまま炭火を使用することも防止でき、常に上昇気流が乱されることがなく効率良くスムーズに熱や煙が排気される極めて実用性に優れたテントとなる。
【実施例】
【００２５】
本発明の具体的な実施例について図面に基づいて説明する。
【００２６】
本実施例では、アーチ状に架設される複数本のポール１に支持され張設されるインナーテント２（テント本体）の中央頂部に、前記ポール１が通らず交差するポール１で囲まれた部分が形成されるように構成し、このインナーテント２の中央頂部のポール１で囲まれた部分いっぱいに大きな排気用中央開口部３を設け、この排気用中央開口部３を覆うフライシート４を設けている。
【００２７】
インナーテント２は、このインナーテント２上面に設けたポールスリーブ13にポール１を通して張設し構築するが、このポール１を通すポールスリーブ13は、メッシュ材などで形成して多数の通気孔を有する若しくは大きな通気用開口部21を有する構成として通気可能なポールスリーブ13とし、このポールスリーブ13に通したポール１に支持されるようにフライシート４を覆い、端部をインナーテント２に固定したり、地面に向かってロープなどで引いて張設する構成としているため、ポール１で区画された部分は、フライシート４で覆われる。即ち、このインナーテント２とフライシート４との間にシート間隔14が形成されるが、このシート間隔14はポールスリーブ13で区画されることになるが、このポールスリーブ13は通気可能なため、各区画部分はこの通気可能なポールスリーブ13を介して連通する構成としている。
【００２８】
また、本実施例では、このフライシート４の前記排気用中央開口部３を覆う部分を山状に持ち上げ支持するフライシート中央部持ち上げポール５を前記排気用中央開口部３上方にアーチ状に架設している。
【００２９】
具体的には、排気用中央開口部３の縁部の対向位置に設けたポール係止孔16にこの持ち上げポール５の端部を係止し、この持ち上げポール５の端部間をロープやベルトなどの引き寄せ材22で引き寄せるなどしてこの持ち上げポール５をアーチ状に湾曲保持してフライシート４を山状に持ち上げて後述する雨侵入防止形ベンチレータ６がこの傾斜部分に設けられるように構成している。
【００３０】
即ち、本実施例では、フライシート４の前記排気用中央開口部３を覆う部分に、この部分が前記持ち上げポール５により山状に持ち上げられた際に、シート面方向の下方に向かって開口保持される雨侵入防止形ベンチレータ６を複数等間隔に設けている。具体的には対向二箇所に設けている。
【００３１】
更に説明すると、本実施例のこの雨侵入防止形ベンチレータ６は、前記フライシート４の前記持ち上げポール５により山状に持ち上げられる傾斜位置に、フード先端部10が傾斜下方側に位置するように設けたフード部９付のベンチレータ用開口部８を設け、このフード部９が持ち上げ保持されることでこのベンチレータ用開口部８が開口保持状態となると共にシート面方向の傾斜下方側に向かって開口して雨侵入防止形の排気用開口部が形成される構成としている。
【００３２】
即ち、本実施例では、前記フライシート４の前記持ち上げポール５により山状に持ち上げられる傾斜位置に、周方向に間隔を置いて複数箇所、具体的には対向二箇所に前記ベンチレータ用開口部８を設け、このベンチレータ用開口部８にフライシート４の内側材と重合するようにして前記フード部９を設け、このフード部９の前記フード先端部10を前記フライシート４の内側材に対して浮上保持してフード部９を持ち上げ保持することで前記ベンチレータ用開口部８が開口保持状態となる浮上保持部12を設けて、前記フライシート４の前記持ち上げポール５により山状に持ち上げられる傾斜位置に、シート面方向の傾斜下方側に向かって開口して雨侵入防止形の排気用開口部が形成されるように前記雨侵入防止形ベンチレータ６を構成している。
【００３３】
本実施例のこの浮上保持部12は、前記持ち上げポール５と交差するように交差アーチポール23を設けてフライシート４の頂部を支持すると共に、この交差アーチポール23の両端部を浮上保持部12としてフード部９の裏面及びそのフード先端部10を浮上保持するように構成している。
【００３４】
尚、このような構成に限らず、例えば前記フライシート４の母材の前記持ち上げポール５により山状に持ち上げられた母材傾斜面にベンチレータ用開口部を設け、このベンチレータ用開口部を覆うようにフード部を重合し、このフード先端部が傾斜下方側に位置するように設け、このフード先端部に保形縁材を設けてアーチ状に保形されることでフライシート４の母材に対して浮上状態に保持されるように構成して、この母材傾斜面に沿う方向の傾斜下方側に向かって開口した構成としても良い。
【００３５】
また、本実施例では、前記排気用中央開口部３及び前記雨侵入防止形ベンチレータ６は、このように常時開口した構成とし、また排気用中央開口部３はファスナーを用いてメッシュ材で形成したメッシュ閉塞部20で着脱自在に閉塞する構成とし、更にインナーテント２の下方周囲に設ける下部ベンチレータ７も常時開口した構成として、常時排気ルートが開口確保され、気流も乱されることなく常にスムーズに排気され、更に虫も侵入しにくい構成となるようにしている。
【００３６】
また、本実施例では、前記インナーテント２の下方周囲に外気を導入する下部ベンチレータ７を設けているが、この下部ベンチレータ７は、前記インナーテント２の人の腰より低い高さであって、地面若しくはボトムシートに近い前記インナーテント２の下方位置に、中央を囲むように等間隔に片寄りなく複数箇所設けている。具体的に四箇所設けている。即ち、この外気を引き込む下部ベンチレータ７をできるだけ低い位置の点対称位置に設け、上部の雨侵入防止形ベンチレータ６も点対称位置に設けて、前記インナーテント２の中央に炭火などの熱源11を配置した際、この熱により前記下部ベンチレータ７からバランス良く外気を導入すると共に、その真上に一層安定した上昇気流が生じて、この熱源11の真上に位置する前記排気用中央開口部３及び前記雨侵入防止形ベンチレータ６から外部へ一層スムーズに熱気や煙が排気されるように構成している。
【００３７】
本実施例のこの下部ベンチレータ７は、メッシュ材で覆った下部メッシュ開口部17に下部フード部18を設け、この下部フード部18を浮上保持する保持部材19で支承して常時開口保持する構成としている。
【００３８】
また、本実施例では、前述のように前記インナーテント２を張設する前記支持ポール１を挿通するポールスリーブ13は通気孔を有する構成として、このポールスリーブ13に前記支持ポール１を挿通して張設した前記インナーテント２とこのインナーテント２を覆う前記フライシート４との間にシート間隔14を形成保持すると共に、このシート間隔14を区画することになる前記ポールスリーブ13が前記多数の通気孔を有するメッシュ材で形成すると共に大きな通気用開口部21をも有する構成とすることで区画部分が通気連通状態となると共に、このシート間隔14の区画部分が前記ポールスリーブ13の通気孔を介してフライシート４の周端外方と連通するように構成している。
【００３９】
また、本実施例では、前記インナーテント２の周囲に大きな外気取り入れ口としてのメッシュ窓部を開閉自在に設けると共に、インナーテント２の上部に前記フライシート４との前記シート間隔14と連通する大きなシート間隔連通開口部15としてのメッシュ窓部を各区画毎に設けている。
【００４０】
尚、本発明は、本実施例に限られるものではなく、各構成要件の具体的構成は適宜設計し得るものである。
【符号の説明】
【００４１】
１  ポール（支持ポール）
２  インナーテント
３  排気用中央開口部
４  フライシート
５  持ち上げポール
６  雨侵入防止形ベンチレータ
７  下部ベンチレータ
８  ベンチレータ用開口部
９  フード部
10  フード先端部
11  熱源
12  浮上保持部
13  ポールスリーブ
14  シート間隔
15  シート間隔連通開口部
21  通気用開口部
【図１】
2014201958.tif 000003
【図２】
2014201958.tif 000004
【図３】
2014201958.tif 000005
【図４】
2014201958.tif 000006
【図５】
2014201958.tif 000007
【図６】
2014201958.tif 000008
【図７】
2014201958.tif 000009